(57)【特許請求の範囲】
【請求項１】
フィルムに記録された画像を読み取る画像読取装置であって、
前記フィルムに記録された画像の幅方向にわたって光を照射する光源及び前記フィルムを透過する前記光源からの透過光によって画像を読み取る読取手段を備えたスキャナ部と、
フィルム幅の異なる複数種のフィルムにそれぞれ対応する搬送路を備え、該搬送路が少なくとも前記スキャナ部の画像読取位置において共通路を有し、該共通路を通過するようにそれぞれのフィルムを搬送する搬送手段と、
前記共通路が、フィルムを肉厚方向に屈曲させる曲面を備え、該曲面に沿って屈曲させて搬送することにより、フィルムの幅方向にわたる画像読取面を同一平面とすることを特徴とした画像読取装置。
【請求項２】
フィルムに記録された画像を読み取る画像読取装置であって、
前記フィルムに記録された画像の幅方向にわたって光を照射する光源及び前記フィルムを透過する前記光源からの透過光によって画像を読み取る読取手段を備えたスキャナ部と、
フィルム幅の異なる複数種のフィルムにそれぞれ対応する搬送路を備え、該搬送路が少なくとも前記スキャナ部の画像読取位置において共通路を有し、該共通路を通過するようにそれぞれのフィルムを搬送する搬送手段と、
各フィルムに対応する前記搬送路には、フィルム搬送中であることを検知するローディングセンサが設けられ、一方の搬送路でフィルム搬送が検出されたときに他方の搬送路上への送り込みを防止することを特徴とする画像読取装置。
【請求項３】
前記複数の搬送路が、該搬送路面を上下方向にそれぞれ対応させて並設したことを特徴とする請求項１又は請求項２記載の画像読取装置。
【発明の詳細な説明】
【０００１】
【発明の属する技術分野】
本発明は、フィルムに記録された画像を読み取る画像読取装置に関する。
【０００２】
【従来の技術】
近年では、写真フィルムに記録されたコマ画像をＣＣＤ等の読取センサによって光電的に読み取り、該読み取りによって得られたデジタル画像データに対し拡大縮小や各種補正等の画像処理を実行し、画像処理済のデジタル画像データに基づき変調したレーザ光により記録材料へ画像を形成する技術が知られている。
【０００３】
このようにＣＣＤ等の読取センサによりコマ画像をデジタル的に読み取る技術では、精度の良い画像読み取りを実現するために、コマ画像を予備的に読み取り（いわゆるプレスキャン）、コマ画像の濃度等に応じた読取条件（例えば、コマ画像に照射する光量やＣＣＤの電荷蓄積時間等）を決定し、決定した読取条件でコマ画像を再度読み取っていた（いわゆるファインスキャン）。
【０００４】
この場合プレスキャンは、比較的ラフな読取精度でよいため、搬送速度むらにも比較的大きな許容範囲がある。これに対して、ファインスキャンは、極めてシビアな読取精度が要求されるため、搬送速度むらの許容範囲が極めて狭い。
【０００５】
【発明が解決しようとする課題】
しかしながら、従来から存在する１３５サイズのフィルムと、、近年の磁気記録層が設けられた写真フィルム（以下、ＡＰＳフィルムという）とは、幅寸法が異なるため、前記スキャニング（プレスキャン、ファインスキャン）時にフィルムを精度よく定速搬送させるための搬送路を有するフィルムキャリアを別々に設けなければならない。
【０００６】
また、ＡＰＳフィルムにおいては、画像の読取り他に磁気情報の読取り及び書込みという作業が追加される。このため、この磁気情報の処理のために、搬送路上に設ける部品が全く異なり、フィルム幅のみを可変とするのみでは、共通化は難しい。さらに、フィルムキャリア内に複数の搬送路を形成したとしても、各フィルムと読取光学系との相対位置が異なるため、その都度変更作業を行う必要がある。
【０００７】
本発明は上記事実を考慮し、種類の異なるフィルムに対して、それぞれ適した搬送路を持ち、かつスキャニング時の各フィルムの位置を共通とすることにより、各フィルムに対応する読取系との相対位置の変更作業を省略することができる画像読取装置を得ることが目的である。
【０００８】
【課題を解決するための手段】
請求項１に記載の発明は、フィルムに記録された画像を読み取る画像読取装置であって、前記フィルムに記録された画像の幅方向にわたって光を照射する光源及び前記フィルムを透過する前記光源からの透過光によって画像を読み取る読取手段を備えたスキャナ部と、フィルム幅の異なる複数種のフィルムにそれぞれ対応する搬送路を備え、該搬送路が少なくとも前記スキャナ部の画像読取位置において共通路を有し、該共通路を通過するようにそれぞれのフィルムを搬送する搬送手段と、前記共通路が、フィルムを肉厚方向に屈曲させる曲面を備え、該曲面に沿って屈曲させて搬送することにより、フィルムの幅方向にわたる画像読取面を同一平面とすることを特徴としている。
【０００９】
請求項１に記載の発明によれば、複数種のフィルムはそれぞれ幅寸法が異なるため、搬送路が別々となる。この複数の搬送路を併設し、かつ各搬送路におけるスキャナ部を通過させるための搬送路を共通路とする。これにより、それぞれの搬送路で搬送されるフィルムにそれぞれ対応してスキャナ部を設ける必要がなく、また、異なるフィルムを同一位置とすることができるため、光学的な制御が容易となる。
【００１０】
このため、読取制御手段によるプレスキャン及びファインスキャンを行う場合に、異なる幅寸法のフィルムが次々と搬送されても、その都度、スキャナ部の読取光学系を調整するようなことが不要であり、同一のフィルムと同様に処理を連続して行うことができる。
また、前記共通路が搬送方向に沿って曲面とされている。この曲面に巻き掛けられるようにフィルムを搬送することにより、幅方向に沿った湾曲を矯正することができる。すなわち、幅方向に渡って同一平面とすることができるため、読取精度が向上する。
【００１１】
請求項２に記載の発明は、フィルムに記録された画像を読み取る画像読取装置であって、前記フィルムに記録された画像の幅方向にわたって光を照射する光源及び前記フィルムを透過する前記光源からの透過光によって画像を読み取る読取手段を備えたスキャナ部と、フィルム幅の異なる複数種のフィルムにそれぞれ対応する搬送路を備え、該搬送路が少なくとも前記スキャナ部の画像読取位置において共通路を有し、該共通路を通過するようにそれぞれのフィルムを搬送する搬送手段と、各フィルムに対応する前記搬送路には、フィルム搬送中であることを検知するローディングセンサが設けられ、一方の搬送路でフィルム搬送が検出されたときに他方の搬送路上への送り込みを防止することを特徴としている。
【００１２】
請求項２に記載の発明によれば、複数種のフィルムはそれぞれ幅寸法が異なるため、搬送路が別々となる。この複数の搬送路を併設し、かつ各搬送路におけるスキャナ部を通過させるための搬送路を共通路とする。これにより、それぞれの搬送路で搬送されるフィルムにそれぞれ対応してスキャナ部を設ける必要がなく、また、異なるフィルムを同一位置とすることができるため、光学的な制御が容易となる。
このため、読取制御手段によるプレスキャン及びファインスキャンを行う場合に、異なる幅寸法のフィルムが次々と搬送されても、その都度、スキャナ部の読取光学系を調整するようなことが不要であり、同一のフィルムと同様に処理を連続して行うことができる。
また、複数のフィルムに対してそれぞれ搬送路を有しているため、同時に複数の搬送路からフィルムが供給されると共通路でジャミングを起こすことになる。これを未然に防止するため、各搬送路にローディングセンサを配し、このローディングセンサによる検出状態に基づいて搬送の適否を判断しているので、重複したフィルムの搬送路上への送り込みを防止することができる。
【００１３】
請求項３に記載の発明は、前記請求項１又は請求項２に記載の発明において、前記複数の搬送路が、該搬送路面を上下方向にそれぞれ対応させて並設したことを特徴としている。
【００１４】
請求項３に記載の発明によれば、複数の搬送路が、積み重ね状態で配設されているため、平面視では各搬送路でのフィルムの搬送軌跡が一致する。このため、共通路を設けるのに、フィルムを肉厚方向に屈曲させればよく、フィルムに無理な力（捩じれ等）が加わることがない。
【００１７】
【発明の実施の形態】
まず本実施形態に係るディジタルラボシステムについて説明する。
【００１８】
（システム全体の概略構成）
図１には本実施形態に係るディジタルラボシステム１０の概略構成が示されており、図２にはディジタルラボシステム１０の外観が示されている。図１に示すように、このラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６として一体化されており、レーザプリンタ部１８及びプロセッサ部２０は、図２に示す出力部２８として一体化されている。
【００１９】
ラインＣＣＤスキャナ１４は、ネガフィルムやリバーサルフィルム等の写真フィルムに記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。ラインＣＣＤスキャナ１４は、上記の読取対象のコマ画像をラインＣＣＤで読み取り、画像データを出力する。
【００２０】
なお、本実施の形態では、１３５サイズと２４０サイズとの写真フィルムが共に搬送可能なフィルムキャリア３８Ｍ（後述）を搭載したデジタルラボシステム１０として説明するが、基本的には、複数種のフィルムが存在したときに対応可能なフィルムキャリア３８ｍであり、１３５サイズと２４０サイズとに限定されるものではない。
【００２１】
画像処理部１６は、ラインＣＣＤスキャナ１４から出力された画像データ（スキャン画像データ）が入力されると共に、デジタルカメラでの撮影によって得られた画像データ、原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００２２】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００２３】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００２４】
（ラインＣＣＤスキャナの構成）
次にラインＣＣＤスキャナ１４の構成について説明する。図３にはラインＣＣＤスキャナ１４の光学系の概略構成が示されている。この光学系は、ハロゲンランプやメタルハライドランプ等から成り写真フィルム２２（本実施の形態では、フィルムとして１３５サイズ、２４０サイズの２種類を適用しているが、総称する場合は、以後写真フィルム２２という。）に光を照射する光源３０を備えており、光源３０の光射出側には、写真フィルム２２に照射する光を拡散光とする光拡散ボックス３６が順に配置されている。
【００２５】
写真フィルム２２は、光拡散ボックス３６の光射出側に配置されたフィルムキャリア３８（図５参照、図３では図示省略）によって、コマ画像の画面が光軸と垂直になるように搬送される。
【００２６】
また、光源３０と光拡散ボックス３６との間には、Ｃ（シアン）、Ｍ（マゼンダ）、Ｙ（イエロー）の調光フィルタ１１４Ｃ、１１４Ｍ、１１４Ｙが射出光の光軸に沿って順に設けられており、写真フィルム２２を挟んで光源３０と反対側には、光軸に沿って、コマ画像を透過した光を結像させるレンズユニット４０、ラインＣＣＤ１１６が順に配置されている。図３ではレンズユニット４０として単一のレンズのみを示しているが、レンズユニット４０は、実際には複数枚のレンズから構成されたズームレンズである。
【００２７】
ラインＣＣＤ１１６は、複数のＣＣＤセル搬送される写真フィルム２２の幅方向に沿って一列に配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ１１６は、各センシング部の受光面がレンズユニット４０の結像点位置に一致するように配置されている。
【００２８】
また、各センシング部の近傍には転送部が各センシング部に対応して各々設けられており、各センシング部の各ＣＣＤセルに蓄積された電荷は、対応する転送部を介して順に転送される。また図示は省略するが、ラインＣＣＤ１１６とレンズユニット４０との間にはシャッタが設けられている。
【００２９】
図４にはラインＣＣＤスキャナ１４の電気系の概略構成が示されている。ラインＣＣＤスキャナ１４は、ラインＣＣＤスキャナ１４全体の制御を司るマイクロプロセッサ４６を備えている。マイクロプロセッサ４６には、バス６２を介してＲＡＭ６４（例えばＳＲＡＭ）、ＲＯＭ６６（例えば記憶内容を書換え可能なＲＯＭ）が接続されていると共に、モータドライバ４８が接続されており、モータドライバ４８にはフィルタ駆動モータ５４が接続されている。フィルタ駆動モータ５４は調光フィルタ１１４Ｃ、１１４Ｍ、１１４Ｙを各々独立にスライド移動させることが可能とされている。
【００３０】
マイクロプロセッサ４６は、図示しない電源スイッチのオンオフに連動して光源３０を点消灯させる。また、マイクロプロセッサ４６は、ラインＣＣＤ１１６によるコマ画像の読み取り（測光）を行う際に、フィルタ駆動モータ５４によって調光フィルタ１１４Ｃ、１１４Ｍ、１１４Ｙを各々独立にスライド移動させ、ラインＣＣＤ１１６に入射される光量を各成分色光毎に調節する。
【００３１】
またモータドライバ４８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像点位置を光軸に沿って移動させるレンズ駆動モータ１０６が接続されている。マイクロプロセッサ４６は、コマ画像のサイズやトリミングを行うか否か等に応じて、ズーム駆動モータ７０によってレンズユニット４０のズーム倍率を所望の倍率に変更する。
【００３２】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００３３】
Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００３４】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００３５】
また、モータドライバ４８にはシャッタを開閉させるシャッタ駆動モータ９２が接続されている。ラインＣＣＤ１１６の暗出力については、後段の画像処理部１６で補正されるが、暗出力レベルは、コマ画像の読み取りを行っていないときに、マイクロプロセッサ４６がシャッタを閉止させることで得ることができる。
【００３６】
（画像処理部の構成）
次に画像処理部１６の構成について図５を参照して説明する。画像処理部１６は、ラインＣＣＤスキャナ１４に対応してラインスキャナ補正部１２２が設けられている。ラインスキャナ補正部１２２は、ラインＣＣＤスキャナ１４から並列に出力されるＲ、Ｇ、Ｂの画像データに対応して、暗補正回路１２４、欠陥画素補正部１２８、及び明補正回路１３０から成る信号処理系が３系統設けられている。
【００３７】
暗補正回路１２４は、ラインＣＣＤ１１６の光入射側がシャッタにより遮光されている状態で、ラインＣＣＤスキャナ１４から入力されたデータ（ラインＣＣＤ１１６のセンシング部の各セルの暗出力レベルを表すデータ）を各セル毎に記憶しておき、ラインＣＣＤスキャナ１４から入力されたスキャン画像データから、各画素毎に対応するセルの暗出力レベルを減ずることによって補正する。
【００３８】
また、ラインＣＣＤ１１６の光電変換特性は各セル単位でのばらつきもある。欠陥画素補正部１２８の後段の明補正回路１３０では、ラインＣＣＤスキャナ１４に画面全体が一定濃度の調整用のコマ画像がセットされている状態で、ラインＣＣＤ１１６で前記調整用のコマ画像を読み取ることによりラインＣＣＤスキャナ１４から入力された調整用のコマ画像の画像データ（この画像データが表す各画素毎の濃度のばらつきは各セルの光電変換特性のばらつきに起因する）に基づいて各セル毎にゲインを定めておき、ラインＣＣＤスキャナ１４から入力された読取対象のコマ画像の画像データを、各セル毎に定めたゲインに応じて各画素毎に補正する。
【００３９】
一方、調整用のコマ画像の画像データにおいて、特定の画素の濃度が他の画素の濃度と大きく異なっていた場合には、ラインＣＣＤ１１６の前記特定の画素に対応するセルには何らかの異常があり、前記特定の画素は欠陥画素と判断できる。欠陥画素補正部１２８は調整用のコマ画像の画像データに基づき欠陥画素のアドレスを記憶しておき、ラインＣＣＤスキャナ１４から入力された読取対象のコマ画像の画像データのうち、欠陥画素のデータについては周囲の画素のデータから補間してデータを新たに生成する。
【００４０】
また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、コマ画像上で同一の画素のＲ、Ｇ、Ｂの画像データが同時に出力されるように、各成分色毎に異なる遅延時間で画像データの出力タイミングの遅延を行う。
【００４１】
ラインスキャナ補正部１２２の出力端はセレクタ１３２の入力端に接続されており、補正部１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００４２】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々１フレーム分のコマ画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００４３】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００４４】
ところで、本実施形態では個々のコマ画像に対し、ラインＣＣＤスキャナ１４において異なる解像度で２回の読み取りを行う。１回目の比較的低解像度での読み取り（以下、プレスキャンという）では、コマ画像の濃度が極端に低い場合（例えばネガフィルムにおける露光オーバのネガ画像）にも、ラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でコマ画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００４５】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００４６】
オートセットアップエンジン１４４は、入出力コントローラ１３４から入力された複数コマ分のコマ画像のプレスキャン画像データに基づいて、ラインＣＣＤスキャナ１４による２回目の比較的高解像度での読み取り（以下、ファインスキャンという）によって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のコマ画像が有るか否か判定し、類似のシーンを撮影した複数のコマ画像が有った場合には、これらのコマ画像のファインスキャン画像データに対する画像処理の処理条件が同一又は近似するように決定する。
【００４７】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００４８】
更に、オートセットアップエンジン１４４は、入出力コントローラ１３４から入力されたコマ画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００４９】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００５０】
パーソナルコンピュータ１５８は、ＣＰＵ１６０、メモリ１６２、ディスプレイ１６４及びキーボード１６６（図２も参照）、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はフィルムキャリア３８Ｍに接続されており、フィルムキャリア３８Ｍによる写真フィルム２２の搬送を制御する。また、フィルムキャリア３８にＡＰＳフィルム２２Ｓがセットされると、フィルムキャリア３８がＡＰＳフィルムの磁気記録層から読み取った情報（例えば画像記録サイズ等）が入力される。
【００５１】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００５２】
なお、画像処理部１６は、プレスキャン画像データ等をパーソナルコンピュータ１５８に出力し、ラインＣＣＤスキャナ１４で読み取られたコマ画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００５３】
（フィルムキャリアの構成）
図６乃至図８には、マルチタイプのフィルムキャリア３８Ｍの搬送系概略図が示されている。
【００５４】
図６に示すフィルムキャリア３８Ｍには、１３５サイズの写真フィルム２２Ｎと、２４０サイズの写真フィルム（以下、ＡＰＳフィルムという）２２Ｓと、２個の装填部３００、３０２が設けられている。また、ＡＰＳフィルム２２Ｓ側の装填部３００は、さらにＡＰＳフィルムストリップ装填口３０４と、カートリッジ装填口３０６とに分別されている。
後述する。
▲１▼  ２４０サイズの写真フィルム（ＡＰＳフィルム）の搬送系構造
ＡＰＳフィルム２２Ｓの場合、ＡＰＳフィルムストリプス２２Ｐの状態でフィルムキャリア３８Ｍへ装填する場合と、カートリッジ３０８を装填して、自動的に収容したＡＰＳフィルム２２Ｓを引き出す場合とがあり、それぞれ装填口３０４、３０６を別としている。
【００５５】
図６乃至図８に示される如く、フィルムキャリア３８Ｍの装填部３００には、台座３１０が配設され、その上部がＡＰＳフィルムストリプスの装填口３０４となっている。すなわち、台座３１０の上面はＡＰＳフィルムストリプス２２Ｐの搬送路となっており、若干の隙間を開けて、抑え部材３１２が配設されている。この抑え部材３１２は、ＡＰＳフィルムストリプス２２Ｐの幅方向一端部に対応しており、この幅方向一端部を抑え部材３１２と搬送路面との間に挿入した状態でＡＰＳフィルムストリプス２２Ｐを押し込むようになっている。
【００５６】
ＡＰＳフィルムストリプス２２Ｐの押し込み側は、ガイド３１４が配設されている。このガイド３１４は、ＡＰＳフィルムストリプス２２Ｐの幅方向両端部の上面側に対向している。これにより、ＡＰＳフィルムストリプス２２Ｐは、フィルムキャリア３８Ｍのハウジングとしてのベースとカバーとの間に設けられた搬送路３１６へ案内される構造である。
【００５７】
搬送路３１６の最上流側、すなわちＡＰＳフィルムストリプス２２Ｐ用の装填口３０４の近傍には、ローディングセンサ３１８が配設されており、ＡＰＳフィルムストリプス２２Ｐの先端部を検出するようになっている。
【００５８】
一方、台座３１０の側面には、カートリッジ３０８を収容するための、上部が開口したハウジング３２０が設けられている。
【００５９】
このハウジング３２０の上部開口から、カートリッジ３０８が装填される構成となっている。この開口内には、前記台座３１０の下部に形成された空洞部３１０Ａまで延長される一対のガイドロッド３２２が配設され、このガイドロッド３２２には、カートリッジホルダ３２４が摺動可能に取り付けられている。
【００６０】
カートリッジホルダ３２４は、側面視で略Ｕ字型とされ、カートリッジ３０８の下部が緊密に収容可能となっている。またこのカートリッジホルダ３２４の上端部には、抑えプレート３２６が回転可能に取り付けられ、装填されたカートリッジ３０８を上から抑え付け、保持することができる。
【００６１】
ハウジング３２０の側面には、横スリット状の貫通孔が設けられ、その一部から前記カートリッジホルダ３２４と一体形成されたレバー３２８が突出されている。このため、このレバー３２８を貫通孔の長手方向（横方向）に沿って前記台座３１０方向へスライドさせると、カートリッジホルダ３２４を台座３１０の下部空洞部３１０Ａへ送り込むことができ（装填位置）、逆にスライドさせるとハウジング３２０内に戻すことができる（ハウジング位置）。すなわち、カートリッジ３０８をカートリッジホルダ３２４に装填し、抑えプレート３２６で抑えた状態でレバー３２８を台座３１０方向へスライドさせることにより、カートリッジ３０８をフィルムキャリア３８Ｍの搬送路３３０に対応配置することができる構成である。
【００６２】
なお、このフィルムキャリア３８Ｍの搬送路に対応配置された位置（装填位置）では、カートリッジ３０８からＡＰＳフィルム２２Ａを引出し、かつ巻き取る機構、カートリッジ３０８内のスプールからフィルム後端を取り外すデタッチャー機構及びスプールにフィルム後端を係合するアタッチャー機構によって、カートリッジ３０８からＡＰＳフィルム２２Ｓをフィルム搬送路へ引き出し、かつフィルム搬送路から巻き取ることができるようになっている。なお、カートリッジ３０８からのフィルム引出しはレバー３２８のスライド動作に連動し、スタートするようになっている。
【００６３】
また、この装填位置には、イジェクタ（図示省略）が配設されており、一連の作業（後述するフィルムの引出し、巻取りの往復動作）が完了すると、自動的に該イジェクタが作動して、カートリッジ３０８は、カートリッジホルダ３２４と共にガイドロッド３２２に沿ってハウジング３２０位置まで移動するようになっている。
【００６４】
なお、このカートリッジ３０８から引き出されたＡＰＳフィルム２２Ｓの搬送路３３０は、前記搬送路３１６と合流するようになっており、切替レバー３１７の切替状態によって、搬送路が選択的に決定されるようになっている。
【００６５】
この合流点の下流側には、搬送ローラ対３３２、ＡＰＳフィルム２２Ｓ（又はＡＰＳフィルムストリプス２２Ｐ）の磁気記録層２６Ａ、２６Ｂの表面からゴミを除去するゴミ取り用ローラ対３３４（ＡＰＳフィルム２２Ｓ、ＡＰＳフィルムストリプス２２Ｐの幅方向両端部に対応して一対）、磁気記録層２６Ａ２６Ｂからの磁気情報の読み取りを行う磁気ヘッド３３６Ｒ及び磁気トラックへの磁気情報の書き込みを行う磁気ヘッド３３６Ｗをそれぞれ備えた磁気情報読み書き部３３６（フィルム幅方向両端部に対応して一対）、ＡＰＳフィルム２２Ｓ、ＡＰＳフィルムストリプス２２Ｐのパーフォレーション２８を検出するパーフォレーションセンサ３３８、画像表面からゴミを除去するゴミ取り用ローラ対３４０、搬送ローラ対３４２、コマ画像の走査位置でＡＰＳフィルム２２Ｓ、ＡＰＳフィルムストリプス２２Ｐの光軸上の他の光学系との相対位置を保持するためのフィルム支持部材３４４、搬送ローラ対３４６、仮巻取り部３４８が、順に設置されている。
【００６６】
このうち搬送ローラ対３３２、３４２、３４６は、それぞれ下側のローラが駆動側とされ、図示しない駆動源（モータ）の駆動力がベルトやプーリ等の駆動力伝達系を介して駆動されるようになっている。
【００６７】
ところで、搬送ローラ対３４２、３４６間の略中央部は走査位置とされており、フィルムキャリア３８Ｍの筐体における該走査位置の直上部及び直下部には走査光用のスリット状の孔が設けられている。即ち、フィルムキャリア３８Ｍ内を搬送されるＡＰＳフィルム２２Ｓ、ＡＰＳフィルムストリプス２２Ｐに対し、図３に示すように走査位置において下方から走査光が照射され、その透過光が、フィルムキャリア３８Ｍの上方に配置されたラインＣＣＤ１１６に到達するよう構成されている。
【００６８】
上記搬送ローラ対の駆動源の駆動制御、磁気情報読み書き部３３６の磁気情報読み書きタイミング等は、図５の搬送制御部１７２で制御している。この搬送制御部１７２では、フィルム引き出し時に、磁気情報の読取とプレスキャニングを行うための搬送制御と、フィルム巻き取り時に磁気情報の書き込みとファインスキャニングを行うための搬送制御を実行する。
【００６９】
支持部材３４４は、透明の一対の板材が円弧状に屈曲され、互いに凸面が対向されて配設されている。上に凸とされた下側の支持部材３４４Ａと、下に凸とされた上側の支持部材３４４Ｂとの間には、ＡＰＳフィルム２２Ｓ、ＡＰＳフィルムストリプス２２及び後述する１３５サイズの写真フィルム２２Ｎが通過可能な隙間が形成されている。
【００７０】
ここで、前記ＡＰＳフィルム２２ＳとＡＰＳフィルムストリプス２２Ｐとは、下側の支持部材３４４Ａの円弧面（曲面）によって屈曲されて搬送されるようになっており、搬送中に幅方向に撓みが矯正されるようになっている。
▲２▼  １３５サイズの写真フィルムの搬送系構造
フィルムキャリア３８Ｍの１３５サイズの写真フィルム２２Ｎの装填部３０２は、前記ＡＰＳ用の装填部３００の上方に配置され、フィルムキャリア３８Ｍの側面から案内ブロック４１４が突出されている。
【００７１】
案内ブロック４１４の基部側には、横長のスリット孔４１６が設けられ、このスリット孔４１６の上下流に亘り、案内ブロック４１４の上面がガイド部４１８となっている。
【００７２】
１３５サイズの写真フィルム２２Ｎは、このガイド部４１８に載置した後、スリット孔４１６へ押し込むことにより、装填が完了する。
【００７３】
スリット孔４１６の出口には、ローディングセンサ４２０が設けられ、写真フィルム２２Ｎの先端部を検出するようになっている。
【００７４】
このローディングセンサ４２０の下流側には、搬送ローラ対４２２、写真フィルム２２Ｎの表面からゴミを除去するゴミ取り用ローラ対４２４、写真フィルム２２Ｎのパーフォレーション２８を検出するパーフォレーションセンサ４２６、搬送ローラ対４２８が順に配置され、その下流側に前記フィルム支持部材３４４が配設されている。すなわち、この写真フィルム２２Ｎは、前記ＡＰＳフィルム２２Ｓと同一の支持部材３４４まで、別の搬送路によって搬送され合流する構成となっている。
【００７５】
支持部材３４４の下流側は、搬送ローラ対４３０、写真フィルム２２Ｎの仮巻取り部４３２が、順に設置されている。
【００７６】
このうち搬送ローラ対４２２、４２８、４３０は、それぞれ下側のローラが駆動側とされ、図示しない駆動源（モータ）の駆動力がベルトやプーリ等の駆動力伝達系を介して駆動されるようになっている。
【００７７】
前記支持部材３４４の上流側及び下流側には、それぞれ切替案内フォーク４３４、４３６が配設されている。この切替案内フォーク４３４、４３６はそれぞれ一端部が回転軸に取り付けられ、この回転軸は図示しない駆動手段の駆動力で所定の角度で往復回転可能とされ、かつ回転範囲両端で停止可能とされている（図図７の実線位置及び想像線位置）。
【００７８】
ここで、１３５サイズの写真フィルム２２Ｎを搬送して、プレスキャニング及びファインスキャニングを行う場合は、それぞれの切替案内フォーク４３４、４３６を下向き（図７の実線位置）とし、支持部材３４４の撓み矯正板３４４Ａに接触させる。これにより、１３５サイズの写真フィルム２２Ｎを正規の搬送路で搬送させることができる。
【００７９】
一方、ＡＰＳフィルム２２Ｓ（ＡＰＳフィルムストリプス２２Ｐを含む）を搬送して、プレスキャニング及びファインスキャニングを行う場合は、それぞれの切替案内フォーク４３４、４３６を上向き（図７の想像線位置）とし、支持部材３４４の撓み矯正板３４４Ｂに接触させる。これにより、ＡＰＳフィルム２２Ｓ（２４０サイズの写真フィルム）を正規の搬送路で搬送させることができる。
【００８０】
以下に、本実施の形態の作用を図９のフローチャートに従い説明する。
なお、以下の説明において、磁気情報の読み取りとは、例えば、撮影時のフラッシュの有無、撮影日付、シャッタスピード、露光量等を表す磁気情報を示し、各コマ画像に対するプレスキャンとは、比較的ラフな読み取り精度で画像を読み取り、以後にファインスキャン時の設定値を決めるための予備的なスキャニングを示し、画像の検定とは、磁気情報及びプレスキャンに基づく各コマ画像の画像データに対する画像処理条件の確認と決定を示し、ファインスキャンとは、最終的に記録すべき高精度の画像読み取りを示し、磁気情報の書き込みとは、例えば、検定で決定された各コマ画像についての画像処理条件等を表す磁気情報の書き込みを示している。
【００８１】
オペレータは、画像の読取りを行う場合に、本実施の形態においては、３種類の作業がある。第１は１３５サイズの写真フィルム２２Ｎであり、この写真フィルム２２Ｎの場合、１本分が連続している場合もあるし、例えば６コマ毎に切断されたピースフィルムの場合もある。いずれにしても、写真フィルム２２Ｎの先端部を装填部３０２のガイド部４１８に載置し、スリット孔４１６へ挿入する（押し込む）。
【００８２】
第２は、ＡＰＳフィルムストリプス２２Ｐの場合であり、既にカートリッジ３０８から離脱された状態となっている。このＡＰＳフィルムストリプス２２Ｐの場合には、その先端部を台座３１０と抑え部材３１２との間に配置し、台座３１０とガイド３１４との間に隙間に挿入する。
【００８３】
第３は、ＡＰＳフィルム２２Ｓが収容されたカートリッジ３０８の場合である。ＡＰＳでは、現像済のＡＰＳフィルム２２Ｓをカートリッジ３０８に収容して顧客に返却するようになっているため、再注文の場合はこの形態が多い。
カートリッジ３０８の場合には、ハウジング３２０に配設されたカートリッジホルダ３２４上にカートリッジ３０８を載置し、抑えプレート３２６によって保持した状態で、レバー３２８をスライドさせる。これにより、カートリッジホルダ３２４はガイドロッド３２２に沿って摺動し、カートリッジ３０８を台座３１０の下の空間部である装填位置に送り込むことができる。この装填位置では、前記カートリッジ３０８のスプールと同軸とされた回転軸と開閉蓋の回転軸とが、駆動系の回転軸と連結される。ここで、カートリッジ３０８の開閉蓋を開け、スプールを回転させると、ＡＰＳフィルム２２Ｓが順次引き出されることになる。なお、ＡＰＳフィルム２２Ｓが全て引き出されると、デタッチャー機構によってフィルム後端部がスプールから取り外されるため、フィルム後端近傍まで画像読取位置まで搬送することが可能である。
【００８４】
また、このＡＰＳフィルム２２Ｓを再度カートリッジ３０８に収容する場合には、フィルム後端部をアタッチャー機構によってスプールに係合し、かつスプールを回転させることにより、ＡＰＳフィルム２２Ｓを層状に巻取り、収容することができる。
【００８５】
以上の事項を踏まえ、図９のステップ５００では、まず、レバー３２８の位置を確認する。このレバー３２８の位置が装填位置の場合には、カートリッジ３０８が装填位置にあると判断され、ステップ５０２へ移行してカートリッジ付ＡＰＳフィルム２２Ｓのスキャニング制御が行われる。この場合、初期動作として切替案内フォーク４３４、４３６を上向きとする。
【００８６】
また、ステップ５００でレバー３２８の位置がハウジング側の場合には、カートリッジ３０８の装填はないと判断し、ステップ５０４へ移行する。
【００８７】
ステップ５０４では、ローディングセンサ３１８でＡＰＳフィルムストリプス２２Ｐを検出したか否かが判断され、検出したと判断（肯定判定）されると、ステップ５０６へ移行して、ＡＰＳフィルムストリプス２２Ｐのスキャニング制御が行われる。この場合初期動作として切替案内フォーク４３４、４３６を上向きとする。
【００８８】
また、ステップ５０４で否定判定された場合は、ステップ５０８へ移行してローディングセンサ４２０で１３５サイズの写真フィルム２２Ｎを検出したか否かが判断され、肯定判定されると、ステップ５１０へ移行し、切替案内フィーク４３４４３６を下向きとし、次いでステップ５１２で１３５サイズフィルム用搬送ローラ対の駆動を開始し、後述するスキャニング動作が開始される。一方、ステップ５０８で否定判定された場合には、ステップ５００へ戻り、以後、ステップ５００、５０４、５０８でカートリッジの装填、ＡＰＳフィルムストリプス２２Ｐの検出、１３５サイズの写真フィルム２２Ｎの検出のいずれかが肯定されるまで繰り返す。すなわち、作業開始の時点でこれから読取作業を開始するフィルムと特定することができるため、２種以上のフィルムが同時に搬送路上へ送り出されることがなく、本実施の形態のような読取位置（光軸近傍）が各搬送路間で共通としても、ジャミング等の問題はない。
【００８９】
前記ステップ５１２以降は、１３５サイズの写真フィルム２２Ｎを検出した場合のスキャニング制御について示しており、以下その手順を説明する。
【００９０】
ステップ５１２で搬送ローラ対４２２、４２８、４３０の駆動が開始されると、搬送ローラ対４２２に挟持された１３５サイズの写真フィルム２２Ｎは、搬送路上を定速で搬送される（往路搬送）。この搬送中にパーフォレーションセンサ４２６でパーフォレーションを検出すると（ステップ５１４）、画像コマ読取位置に接近したと判断され、ステップ５１６において、プレスキャンの実行を指示する。このプレスキャンの実行の指示により、ラインＣＣＤ１１６では、読取りを開始して、まずコマエッジを検出する。このコマエッジは、ネガフィルムであれば素抜け部分と画像部分との差、ポジフィルムであれば不透過部分と画像部分との差によって判別することができる。なお、上記差があまりない場合もあるが、後述するプレスキャンデータの解析時に画像コマの領域を正確に定めればよい。
【００９１】
また、この読取位置では、１３５サイズの写真フィルム２２Ｎは、支持部材３４４の下に凸とされた円弧面（曲面）に沿って屈曲されるため、肉厚方向の位置ずれが解消し、所定の位置での読取が可能となる。また、この支持部材３４４の上下流側の切替案内フォーク４３４、４３６が共に下向きとなっているため、１３５サイズの写真フィルム２２Ｎは、本来の搬送路を逸脱するようなことはない。
【００９２】
ステップ５１８では、全コマのプレスキャンが終了したか否かが判断され、肯定判定されると、ステップ５２０へ移行して、搬送ローラ対４２２、４２８、４３０の駆動を停止する。この状態では、１３５サイズの写真フィルム２２Ｎは、最終画像コマが読取位置（支持部材３４４）を通過し、支持部材３４４の下流側の搬送ローラ対４３０に挟持された状態となる。
【００９３】
次のステップ５２２では、プレスキャニングによって得られた画像データに基づいて、次に行うファインスキャニングのための条件（搬送速度、解像度、ダイナミックレンジ等）を設定する。このとき、前述したように画像コマの領域を、プレスキャニングで得られた画像データに基づいて確実に認識するため、例えば、ＬＡＴＤ（積算透過濃度）等のデータが素抜け部分等によって影響されることはない。
【００９４】
ステップ５２２でファインスキャニングの条件が設定されると、ステップ５２４へ移行して、搬送ローラ対４２２、４２８、４３０の搬送（逆送）を開始する（復路搬送）。この場合、切替案内フォーク４３４、４３６がそれぞれ下向きであるため、１３５サイズの写真フィルム２２Ｎは確実に往路搬送した搬送路に戻すことができる。
【００９５】
次いでステップ５２６では、ファインスキャンの実行を指示する。このファインスキャニングでは、前記プレスキャニングよりも高い解像度で読み取るため、基本的には、送り速度は遅くなる。
【００９６】
ステップ５２８において、全コマのファインスキャニングの終了が確認されると（肯定判定）、ステップ５３０へ移行して所定時間経過後、ステップ５３２で搬送ローラ対４２２、４３４、４３６の搬送（逆送）を停止する。この所定時間の経過によって、１３５サイズの写真フィルム２２Ｎの先端部は、挿入したスリット孔４１６から先端部が抜け出て、ガイド部４１８に支持された状態となっており、また後端部は最上流側の搬送ローラ対４２２を通過しており、オペレータはこれを引き抜くことにより、１３５サイズの写真フィルム２２Ｎの処理は完了する。
【００９７】
次に、ステップ５０２におけるカートリッジ付ＡＰＳフィルム２２Ｓのスキャニング制御について、説明する。
【００９８】
カートリッジ３０８を装填位置に送ると、まず、開閉蓋を開き、スプールを回転させて収容されているＡＰＳフィルム２２Ｓを引き出す（既に、ここまではカートリッジ３０８の装填に連動して行われる。）。
【００９９】
次いで、搬送ローラ対３３２、３４２、３４６の駆動を開始し、パーフォレーションセンサ３３８によるパーフォレーションの検出を待つ。ここで、ＡＰＳフィルム２２Ｓは、搬送中にまずゴミ取りローラ３３４によって、磁気記録層上のゴミが取り除かれ、次いで磁気情報が読み出される。その後、ＡＰＳフィルム２２Ｓは、別のゴミ取りローラ３４０によって画像面のゴミが取り除かれる。
【０１００】
前記磁気情報に対応する画像コマと、画像読取りが行われる画像コマとは、数コマずれているが、予めずれ分を認識しているため（例えば、２コマ分）、画像データと磁気情報との照合は容易である。
【０１０１】
パーフォレーションを検出すると、所定時間経過後、プレスキャンの実行を指示する。これにより、各画像コマプレスキャニグが開始される。このとき、ＡＰＳフィルム２２Ｓは、支持部材３４４の上に凸とされた円弧面（曲面）を持つ撓み矯正板３４４Ｂに沿って屈曲されるため、肉厚方向の位置ずれが解消し、所定の位置での読取が可能となる。また、この支持部材３４４の上下流側の切替案内フォーク４３４、４３６が共に上向きとなっているため、ＡＰＳフィルム２２Ｓは、本来の搬送路を逸脱するようなことはない。
【０１０２】
ここで、画像コマが後端部近傍まで記録されている場合、ＡＰＳフィルム２２Ｓをカートリッジ３０８から離脱させる必要がある。そこで、所定コマの画像読取りが終了した時点で、一端搬送ローラ対の駆動を停止し、デタッチャー機構によりＡＰＳフィルム２２Ｓの後端部をスプールから取り外す。その後、搬送ローラ対３３２、３４２、３４６を再度駆動させることにより、最終コマまでの画像を読み取ることができる。
【０１０３】
最終コマの画像の読取りが完了すると、プレスキャニングして得たデータに基づいて、ファインスキャン時の条件を設定し、搬送ローラ対３３２、３４２、３４６を駆動してＡＰＳフィルム２２Ｓを逆送する。
【０１０４】
この搬送（逆送）中に、ＡＰＳフィルム２２Ｓの先端部がカートリッジ３０８に至ると、アタッチャー機構を作動させ、スプールにＡＰＳフィルム２２Ｓを係合させ、順次巻き取っていく。
【０１０５】
その後、パーフォレーションセンサ３３８でＡＰＳフィルム２２Ｓの先頭側のパーフォレーションを検出して、所定時間経過後に、スプールの駆動を停止すると共に開閉蓋を閉じると、イジェクタ機構が作動して、自動的にカートリッジホルダ３２４をガイドロッド３２２に沿って移動させ、ハウジング３２０の位置までカートリッジ３０８を移動させ、処理は終了する。
【０１０６】
次に、ＡＰＳフィルムストリプス２２Ｐにおけるスキャニング制御（ステップ５０６）であるが、これについては、最初にＡＰＳフィルムストリプス２２Ｐを台座３１０とガイド３１４との間に押し込んだ時に、ローディングセンサ３１８で先端部を検出（最初のパーフォレーションでもよい）した時点で搬送ローラ対３３２、３４２、３４６の駆動が開始される点、デタッチ、アタッチが不要である点以外は、上記のカートリッジ付ＡＰＳフィルム２２Ｓと同様であり、搬送路も共通であるため、詳細な説明は省略する。
【０１０７】
上記本実施の形態によれば、１つのフィルムキャリアに複数の搬送路を配設し、１３５サイズの写真フィルム２２Ｎ及びＡＰＳフィルム２２Ｓ（ＡＰＳフィルムストリプス２２Ｐ）のいずれのフィルムであっても、共通路としての支持部材３４４を設けることにより、単一の光学読取系で画像を読み取ることができる。
【０１０８】
また各搬送路の路面を上下方向に積層したため、共通路へ各フィルムを案内する場合に、フィルムを肉厚方向へ屈曲させるのみでよく、フィルムを捩じる等の無理な力を与える必要がない。
【０１０９】
各搬送路の入口付近にローディングセンサ３１８、３２０を設けると共にカートリッジ３０８の装填情報をレバー３２８の位置で確認することにより、同一磁気に複数のフィルムが搬送されることを防止し、共通路でのジャミングを防止することができる。
【０１１０】
【発明の効果】
以上説明した如く請求項１に記載の発明では、種類の異なるフィルムに対して、それぞれ適した搬送路を持ち、かつスキャニング時の各フィルムの位置を共通とすることにより、各フィルムに対応する読取系との相対位置の変更作業を省略することができるという優れた効果を有する。
また、幅方向に渡って同一平面とすることができるため、読取精度が向上する。
【０１１１】
請求項２に記載の発明では、種類の異なるフィルムに対して、それぞれ適した搬送路を持ち、かつスキャニング時の各フィルムの位置を共通とすることにより、各フィルムに対応する読取系との相対位置の変更作業を省略することができるという優れた効果を有する。
また、ローディングセンサによる検出状態に基づいて搬送の適否を判断しているので、重複したフィルムの搬送路上への送り込みを防止することができる。
【０１１２】
請求項３に記載の発明では、平面視では各搬送路でのフィルムの搬送軌跡が一致し、共通路を設けるのに、フィルムを肉厚方向に屈曲させればよく、フィルムに無理な力（捩じれ等）が加わることがない。
【図面の簡単な説明】
【図１】本発明の実施の形態に係るディジタルラボシステムの概略構成図である。
【図２】ディジタルラボシステムの外観図である。
【図３】ラインＣＣＤスキャナの光学系の概略構成図である。
【図４】ラインＣＣＤスキャナの電気系の概略構成図である。
【図５】画像処理部の概略構成図である。
【図６】ＡＰＳフィルム用のフィルムキャリアの概略構成を示す斜視図である。
【図７】図６のフィルムキャリアをフィルム搬送方向に垂直な真横方向から見た図である。
【図８】図６のフィルムキャリアの内部構成を示す斜視図である。
【図９】本実施の形態における制御フローチャートである。
【符号の説明】
１０    ディジタルラボシステム
１４    ラインＣＣＤスキャナ（走査位置に相当）
２２Ｎ    写真フィルム
２２Ｓ    ＡＰＳフィルム
２２Ｐ    ＡＰＳフィルムストリプス
３００    装填部（ＡＰＳ用）
３０２    装填部（１３５用）
３０８    カートリッジ
３１６    搬送路（カートリッジ付ＡＰＳフィルム用）
３１８    ローディングセンサ
３３０    搬送路（ＡＰＳフィルムストリプス用）
３４４    支持部材
３４４Ａ、３４４Ｂ    撓み矯正板
４２０    ローディングセンサ
４３４、４３６    切替案内フォーク
【図１】
0003715418.tif 000002
【図２】
0003715418.tif 000003
【図３】
0003715418.tif 000004
【図４】
0003715418.tif 000005
【図５】
0003715418.tif 000006
【図６】
0003715418.tif 000007
【図７】
0003715418.tif 000008
【図８】
0003715418.tif 000009
【図９】
0003715418.tif 000010